(57)【特許請求の範囲】
【請求項１】
筐体と、
前記筐体に固定された熱交換器と、
プロペラファン及び該プロペラファンを駆動するファンモータを有し、前記筐体内において前記熱交換器の側方に配置された送風装置と、
前記送風装置を前記筐体に固定する固定機構と、
を備え、
前記固定機構は、
前記筐体に固定され、複数のネジ固定部を有する基部と、
前記ファンモータが取り付けられ、複数の前記ネジ固定部にねじ込まれた雄ネジによって前記基部に固定されたモータ支持部と、
を備え、
前記送風装置が前記熱交換器から離れる方向及び前記送風装置が前記熱交換器へ近づく方向である横方向を、第１方向とした場合、
前記モータ支持部は、前記第１方向に延び、前記基部と対向する一対の脚部を有し、
前記脚部のそれぞれは、前記雄ネジが挿入された少なくとも１つの開口部を有し、
前記開口部のそれぞれは、
前記第１方向に延びる長穴部と、
前記長穴部から上方に切り欠かれた凹部と、を備え、
前記モータ支持部が前記基部に固定された状態においては、前記雄ネジのそれぞれは、前記開口部の前記凹部に挿入された状態となっており、
複数の前記開口部のうちの少なくとも２つは、上下方向で異なる位置に配置されており、
前記基部は、凸部を備え、
前記モータ支持部には貫通孔が形成されており、
前記雄ネジのそれぞれが前記開口部の前記凹部に挿入された状態において、前記凸部が前記貫通孔に挿入される空気調和機の室外機。
【請求項２】
前記開口部のそれぞれは、前記第１方向に規定間隔を空けて複数の前記凹部を備えている請求項１に記載の空気調和機の室外機。
【請求項３】
前記開口部のそれぞれは、前記第１方向に規定間隔を空けて複数の前記凹部を備え、
前記モータ支持部には、前記第１方向に前記規定間隔を空けて複数の前記貫通孔が形成されている請求項１に記載の空気調和機の室外機。
【発明の詳細な説明】
【技術分野】
【０００１】
本発明は、筐体内において送風装置の位置を移動可能な空気調和機の室外機に関する。
【背景技術】
【０００２】
従来の空気調和機の室外機として、筐体内において送風装置の位置を移動可能な構成とした室外機も知られている。例えば、特許文献１に記載の空気調和機の室外機は、送風装置のメンテナンスを目的として、筐体内において送風装置の位置を移動可能な構成としている。この特許文献１に記載の空気調和機の室外機は、熱交換器の前方に送風装置が配置されている。この送風装置は、縦支持部材及び横支持部材を備えた固定機構により、筐体に固定されている。【０００３】
縦支持部材は、ネジ止めにより筐体に固定されている。そして、縦支持部材と筐体とを固定している雄ネジを緩めると、縦支持部材は、下端部を中心として、上端部が前後方向に揺動自在となる。横支持部材には、送風装置が取り付けられている。より詳しくは、横支持部材には、送風装置のファンモータが取り付けられている。この横支持部材は、前後方向に延びる複数の脚材を備えている。脚材のそれぞれには、前後方向に延びる長穴が形成されている。そして、脚材のそれぞれの長穴に挿入された雄ネジが縦支持部材の雌ネジにねじ込まれることにより、縦支持部材と雄ネジの頭部との間に脚材が挟持され、横支持部材が縦支持部材に固定される。換言すると、脚材のそれぞれの長穴に挿入された雄ネジが縦支持部材の雌ネジにねじ込まれることにより、横支持部材に取り付けられた送風装置が所定の位置に固定される。【０００４】
特許文献１に記載の空気調和機の室外機において送風装置のメンテナンスを行う場合、まず、横支持部材と縦支持部材とを固定している雄ネジを緩める。これにより、送風装置が固定された横支持部材は、該横支持部材の脚材に形成された長穴の長手方向に沿って、移動自在となる。すなわち、送風装置が固定された横支持部材は、前後方向に移動自在になる。その後、縦支持部材と筐体とを固定している雄ネジを緩め、縦支持部材を後方へ倒すことにより、送風装置のプロペラファンが、該プロペラファンの外周を囲っていたベルマウスから抜け出る。これにより、送風装置のメンテナンスが可能となる。
【先行技術文献】
【特許文献】
【０００５】
【特許文献１】実開平１−１２５９３６号公報
【発明の概要】
【発明が解決しようとする課題】
【０００６】
上述のように、特許文献１に記載の空気調和機の室外機は、横部材の脚材のそれぞれの長穴に挿入された雄ネジが縦支持部材の雌ネジにねじ込まれることにより、送風装置の取り付けられた横支持部材が縦支持部材に固定される。このため、特許文献１に記載の空気調和機の室外機においては、室外機の運転時又は輸送時等の振動によって、横支持部材と縦支持部材とを固定している雄ネジが緩んだ場合、送風装置の取り付けられた横支持部材が縦支持部材に対して前後方向に移動自在となってしまう。したがって、特許文献１に記載の空気調和機の室外機においては、横支持部材と縦支持部材とを固定している雄ネジが緩んだ場合、送風装置の所望の位置からの移動、及び送風装置の所望の角度からのずれが発生してしまうという課題があった。また、特許文献１に記載の空気調和機の室外機においては、長穴に挿入された雄ネジによって縦支持部材と送風装置の取り付けられた横支持部材とを固定する構成のため、送風装置を所望の位置及び角度に固定することが難しいという課題があった。【０００７】
本発明は、上述の課題を解決するためになされたものであり、筐体内において送風装置の位置を移動可能な空気調和機の室外機であって、送風装置の所望の位置からの移動、及び送風装置の所望の角度からのずれが発生することを抑制でき、送風装置を所望の位置及び角度に固定することが容易な空気調和機の室外機を得ることを目的とする。
【課題を解決するための手段】
【０００８】
本発明に係る空気調和機の室外機は、筐体と、前記筐体に固定された熱交換器と、プロペラファン及び該プロペラファンを駆動するファンモータを有し、前記筐体内において前記熱交換器の側方に配置された送風装置と、前記送風装置を前記筐体に固定する固定機構と、を備え、前記固定機構は、前記筐体に固定され、複数のネジ固定部を有する基部と、前記ファンモータが取り付けられ、複数の前記ネジ固定部にねじ込まれた雄ネジによって前記基部に固定されたモータ支持部と、を備え、前記送風装置が前記熱交換器から離れる方向及び前記送風装置が前記熱交換器へ近づく方向である横方向を、第１方向とした場合、前記モータ支持部は、前記第１方向に延び、前記基部と対向する一対の脚部を有し、前記脚部のそれぞれは、前記雄ネジが挿入された少なくとも１つの開口部を有し、前記開口部のそれぞれは、前記第１方向に延びる長穴部と、前記長穴部から上方に切り欠かれた凹部と、を備え、前記モータ支持部が前記基部に固定された状態においては、前記雄ネジのそれぞれは、前記開口部の前記凹部に挿入された状態となっており、複数の前記開口部のうちの少なくとも２つは、上下方向で異なる位置に配置されており、前記基部は、凸部を備え、前記モータ支持部には貫通孔が形成されており、前記雄ネジのそれぞれが前記開口部の前記凹部に挿入された状態において、前記凸部が前記貫通孔に挿入される。
【発明の効果】
【０００９】
本発明に係る空気調和機の室外機は、雄ネジを緩めた際、開口部の長穴部に雄ネジを通過させることにより、送風装置を筐体内において移動させることができる。また、本発明に係る空気調和機の室外機は、送風装置の取り付けられたモータ支持部が基部に固定された際、雄ネジはモータ支持部の開口部の凹部に挿入された状態となる。この際、複数の開口部のうちの少なくとも２つは上下方向で異なる位置に配置されている。このため、雄ネジが緩んだ場合でも、凹部によって送風装置の位置が維持される。したがって、本発明に係る空気調和機の室外機は、雄ネジが緩んだ場合でも、送風装置が所望の位置から移動することを抑制でき、送風装置が所望の角度からずれることを抑制できる。また、本発明に係る空気調和機の室外機は、雄ネジをモータ支持部の開口部の凹部に挿入し、送風装置の取り付けられたモータ支持部を基部に固定する構成となっているので、送風装置を所望の位置及び角度に固定することも容易となる。
【図面の簡単な説明】
【００１０】
【図１】本発明の実施の形態に係る空気調和機の室外機の正面図である。
【図２】本発明の実施の形態に係る空気調和機の室外機の内部構造を上方から見た図である。
【図３】本発明の実施の形態に係る空気調和機の室外機の内部構造を側方から見た図である。
【図４】本発明の実施の形態に係る空気調和機の室外機において、室外機の前方から送風装置及び固定機構を見た斜視図である。
【図５】本発明の実施の形態に係る空気調和機の室外機における固定機構のモータ支持部の正面図である。
【図６】図５のＡ矢視図である。
【図７】図６のＢ部拡大図である。
【図８】本発明の実施の形態に係る空気調和機の室外機において、室外機の前方から固定機構を見た分解斜視図である。
【図９】本発明の実施の形態に係る空気調和機の室外機において、２つ熱交換部が前後方向に並設された熱交換器に対して送風装置が正規の位置に固定された状態を示す側面図である。
【図１０】図９のＣ部拡大図である。
【図１１】本発明の実施の形態に係る空気調和機の室外機において、３つ熱交換部が前後方向に並設された熱交換器に対して送風装置が正規の位置に固定された状態を示す側面図である。
【図１２】図１１のＤ部拡大図である。
【図１３】本発明の実施の形態に係る空気調和機の室外機において、送風装置が正規でない位置に配置された状態を示す側面図である。
【発明を実施するための形態】
【００１１】
実施の形態．
図１は、本発明の実施の形態に係る空気調和機の室外機の正面図である。図２は、本発明の実施の形態に係る空気調和機の室外機の内部構造を上方から見た図である。図３は、本発明の実施の形態に係る空気調和機の室外機の内部構造を側方から見た図である。なお、図２は、筐体１の上面部４を取り外した状態の室外機１００を上方から見た図となっている。また、図３は、紙面左側が室外機１００の正面側つまり前面側となっている。
【００１２】
本実施の形態に係る空気調和機の室外機１００は、例えば略直方体の筐体１を備えている。筐体１の内部は、隔壁６によって、風路室７と機械室８とに区画されている。風路室７は、室外機１００を正面から見て左側に形成されている。機械室８は、図示せぬ圧縮機等が収納される室であり、室外機１００を正面から見て右側に形成されている。また、筐体１には、前面部２に、風路室７と連通する吹出口１１が形成されている。また、筐体１には、背面部３に風路室７と連通する吸込口１２が形成されている。
【００１３】
筐体１の風路室７には、熱交換器２０及び送風装置３０が収納されている。熱交換器２０は、背面部３に形成された吸込口１２と対向するように、筐体１に固定されている。熱交換器２０は、前後方向に２つの熱交換部２１が並設された構成となっている。熱交換部２１は、例えば、フィンチューブ型の熱交換器である。なお、後述のように、熱交換器２０は、熱交換部２１が前後方向に３つ並設される場合もある。すなわち、筐体１は、熱交換能力が異なる熱交換器２０で兼用されている。
【００１４】
送風装置３０は、プロペラファン３１と、該プロペラファン３１を駆動するファンモータ３２とを備えている。送風装置３０は、筐体１内において熱交換器２０の側方に配置されるものである。側方とは、前方、後方、左方又は右方である。ここで、送風装置３０は、プロペラファン３１が回転することにより、吸込口１２から外部の空気を筐体１内に吸い込み、筐体１内の空気を吹出口１１から外部へ吹き出す機能を果たす。そして、本実施の形態に係る室外機１００の筐体１は、背面部３に吸込口１２が形成され、該吸込口１２と対向する位置に熱交換器２０が配置され、前面部２に吹出口１１が形成されている。このため、本実施の形態では、送風装置３０は、筐体１内において熱交換器２０の前方に配置されている。なお、本実施の形態に係る室外機１００の筐体１は、吹出口１１に、プロペラファン３１の外周側を囲い、風路として機能するベルマウス１３が設けられている。
【００１５】
上述の送風装置３０は、固定機構４０により、筐体１に固定されている。この固定機構４０は、基部４１と、モータ支持部５０とを備えている。基部４１は、筐体１に固定されている。具体的には、筐体１は、前側端部が前面部２に固定され、後ろ側端部が背面部３又は熱交換器２０に固定された固定板９を備えている。固定板９は、上面部４の裏側に配置されている。基部４１の上端部は、この固定板９に固定されている。また、基部４１の下端部は、筐体１の底面部５に固定されている。モータ支持部５０には、送風装置３０のファンモータ３２が取り付けられている。また、モータ支持部５０は、基部４１に固定されている。以下、固定機構４０の構成について、さらに詳細に説明する。
【００１６】
図４は、本発明の実施の形態に係る空気調和機の室外機において、室外機の前方から送風装置及び固定機構を見た斜視図である。図５は、本発明の実施の形態に係る空気調和機の室外機における固定機構のモータ支持部の正面図である。図６は、図５のＡ矢視図である。また、図７は、図６のＢ部拡大図である。
【００１７】
固定機構４０の基部４１は、筐体１の底面部５に固定された台板４１ｂを備えている。また、基部４１は、台板４１ｂから上方に延びる一対の支柱４１ａを備えている。これら支柱４１ａの上端部は、固定板９に固定されている。
【００１８】
室外機１００を正面側から見た際、一対の支柱４１ａのうちで右側に位置する支柱４１ａには、右側の側面部に、複数のネジ固定部４２が設けられている。本実施の形態では、上下方向に間隔を空けて、２つのネジ固定部４２が設けられている。ネジ固定部４２には、基部４１にモータ支持部５０を固定するための雄ネジ４５がねじ込まれる。例えば、ネジ固定部４２は、雄ネジ４５のネジ形成部の外径よりも小さい貫通孔である。また例えば、ネジ固定部４２は、内周面に雌ネジが形成された雌ネジ部である。なお、図４では、雄ネジ４５に隠れてネジ固定部４２が見えない状態となっている。ネジ固定部４２については、後述の図８を参照されたい。以下、室外機１００を正面側から見た際に一対の支柱４１ａのうちで右側に位置する支柱４１ａを、右側の支柱４１ａと称することとする。
【００１９】
室外機１００を正面側から見た際、一対の支柱４１ａのうちで左側に位置する支柱４１ａは、右側の支柱４１ａを左右反転させた構成となっている。すなわち、室外機１００を正面側から見た際、一対の支柱４１ａのうちで左側に位置する支柱４１ａには、左側の側面部に、上下方向に間隔を空けて２つのネジ固定部４２が設けられている。以下、室外機１００を正面側から見た際に一対の支柱４１ａのうちで左側に位置する支柱４１ａを、左側の支柱４１ａと称することとする。
【００２０】
さらに、本実施の形態においては、室外機１００を正面側から見た際、右側の支柱４１ａには、右側の側面部に、該側面部から右側へ突出する凸部４３が設けられている。凸部４３は、例えば、円柱状又は円錐状である。また、室外機１００を正面側から見た際、左側の支柱４１ａには、左側の側面部に、該側面部から左側へ突出する凸部４３が設けられている。
【００２１】
なお、基部４１を構成する部品は、台板４１ｂ及び一対の支柱４１ａに限定されない。上述の位置にネジ固定部４２及び凸部４３を設けることができれば、基部４１の構成は、適宜変更可能である。
【００２２】
固定機構４０のモータ支持部５０は、モータ取付部５１及び一対の脚部５５を備える。モータ取付部５１は、ファンモータ３２が挿入される挿入部５２を備えている。また、モータ取付部５１には、挿入部５２の外周側に、複数の雌ネジ５３が形成されている。ファンモータ３２を挿入部５２に挿入し、ファンモータ３２に挿入された図示せぬ雄ネジを雌ネジ５３にねじ込むことにより、ファンモータ３２はモータ取付部５１に取り付けられる。
【００２３】
送風装置３０が熱交換器２０から離れる方向及び送風装置３０が熱交換器２０へ近づく方向である横方向を、第１方向と定義する。この場合、一対の脚部５５は、第１方向に延びている。上述のように、本実施の形態では、送風装置３０と熱交換器２０とは、前後方向に並べられている。このため、本実施の形態では、第１方向は前後方向となる。したがって、本実施の形態では、一対の脚部５５は、前後方向に延びている。また、本実施の形態では、一対の脚部５５の前側端部は、モータ取付部５１の左右側端部に接続されている。このような構成のモータ支持部５０は、例えば、一枚の板部材を平面視略Ｕ字状に折り曲げることによって得られる。なお、モータ取付部５１及び一対の脚部５５のそれぞれを別部品として製作し、モータ取付部５１及び一対の脚部５５のそれぞれをネジ止め又は溶接等で接続して、モータ支持部５０を製作しても勿論よい。
【００２４】
室外機１００を正面側から見た際、一対の脚部５５のうちで右側に位置する脚部５５は、右側の支柱４１ａの右側面部と対向する。この脚部５５は、複数の開口部５６を備えている。これら開口部５６には、右側の支柱４１ａのネジ固定部４２にねじ込まれる雄ネジ４５が挿入される。このため、開口部５６の数は右側の支柱４１ａのネジ固定部４２と同数となり、開口部５６の位置は、右側の支柱４１ａのネジ固定部４２と対向する位置に設けられる。したがって、本実施の形態では、室外機１００を正面側から見た際、一対の脚部５５のうちで右側に位置する脚部５５には、上下方向に間隔を空けて、２つの開口部５６が設けられている。以下、室外機１００を正面側から見た際に一対の脚部５５のうちで右側に位置する脚部５５を、右側の脚部５５と称することとする。
【００２５】
開口部５６は、前後方向に延びる長穴部５７と、長穴部５７から上方に切り欠かれた凹部５８と、を備えている。凹部５８の位置は、送風装置３０が正規の位置となった際に、雄ネジ４５が挿入される位置となっている。すなわち、凹部５８の位置は、送風装置３０が所望の位置となった際に、雄ネジ４５が挿入される位置となっている。換言すると、送風装置３０が正規の位置となった状態でモータ支持部５０が基部４１に固定された際、凹部５８に雄ネジ４５が挿入された状態となる。なお、送風装置３０の正規の位置とは、送風装置３０と熱交換器２０との間の距離が室外機１００の運転時に所望される距離となっており、送風装置３０の角度が室外機１００の運転時に所望される角度となっている位置である。
【００２６】
凹部５８の縁は、例えば、円弧形状となっている。また例えば、凹部５８の縁は、上方向に延びる長穴形状であってもよい。すなわち、凹部５８の縁の形状は、長穴部５７に雄ネジ４５が挿入されている状態において長穴部５７と雄ネジ４５との間に形成される前後方向の隙間に対して、凹部５８に雄ネジ４５が挿入されている状態において凹部５８と雄ネジ４５との間に形成される前後方向の隙間が小さくなる形状であればよい。
【００２７】
ここで、後述のように、筐体１に設けられる熱交換器２０は、熱交換部２１が前後方向に２つ並設される場合と、熱交換部２１が前後方向に３つ並設される場合とがある。すなわち、本実施の形態に係る室外機１００では、並設される熱交換部２１の数に応じて、送風装置３０の正規の位置が２つ存在することとなる。このため、開口部５６は、送風装置３０の正規の位置に応じて、２つの凹部５８を備えている。これらの凹部５８は、前後方向に規定間隔Ｌを空けて設けられている。すなわち、開口部５６は、前後方向に規定間隔Ｌを空けて、２つの凹部５８を備えている。なお、図１１で後述するように、熱交換部２１の前後方向の厚みは、厚みＴとなっている。そして、規定間隔Ｌは、厚みＴと同じ値となっている。
【００２８】
さらに、右側の脚部５５には、貫通孔５９が形成されている。貫通孔５９の位置は、送風装置３０が正規の位置となった際に、右側の支柱４１ａの凸部４３が挿入される位置となっている。換言すると、貫通孔５９の位置は、雄ネジ４５のそれぞれが開口部５６の凹部５８に挿入された状態において、凸部４３が挿入される位置となっている。ここで、上述のように、本実施の形態に係る室外機１００では、並設される熱交換部２１の数に応じて、送風装置３０の正規の位置が２つ存在することとなる。このため、右側の脚部５５は、送風装置３０の正規の位置に応じて、２つの貫通孔５９を備えている。これらの貫通孔５９は、前後方向に規定間隔Ｌを空けて形成されている。
【００２９】
室外機１００を正面側から見た際、一対の脚部５５のうちで左側に位置する脚部５５は、右側の脚部５５を左右反転させた構成となっている。以下、室外機１００を正面側から見た際に一対の脚部５５のうちで左側に位置する脚部５５を、左側の脚部５５と称することとする。
【００３０】
すなわち、左側の脚部５５は、左側の支柱４１ａの左側面部と対向する。左側の脚部５５には、左側の支柱４１ａのネジ固定部４２と対向する位置のそれぞれに、上述の構成の開口部５６を備えている。また、左側の脚部５５には、送風装置３０が正規の位置となった際に左側の支柱４１ａの凸部４３が挿入される位置に、２つの貫通孔５９が形成されている。
【００３１】
続いて、基部４１に対するモータ支持部５０の取付方法について説明する。
【００３２】
図８は、本発明の実施の形態に係る空気調和機の室外機において、室外機の前方から固定機構を見た分解斜視図である。図９は、本発明の実施の形態に係る空気調和機の室外機において、２つ熱交換部が前後方向に並設された熱交換器に対して送風装置が正規の位置に固定された状態を示す側面図である。図１０は、図９のＣ部拡大図である。図１１は、本発明の実施の形態に係る空気調和機の室外機において、３つ熱交換部が前後方向に並設された熱交換器に対して送風装置が正規の位置に固定された状態を示す側面図である。図１２は、図１１のＤ部拡大図である。また、図１３は、本発明の実施の形態に係る空気調和機の室外機において、送風装置が正規でない位置に配置された状態を示す側面図である。なお、図９〜図１３では、紙面左側が室外機１００の正面側つまり前面側となっている。
【００３３】
基部４１にモータ支持部５０を固定する際、まず、送風装置３０のファンモータ３２をモータ支持部５０のモータ取付部５１に取り付ける。その後、モータ支持部５０の脚部５５に設けられた開口部５６のそれぞれに、雄ネジ４５を挿入する。そして、開口部５６に挿入された雄ネジ４５のそれぞれを、基部４１のネジ固定部４２にねじ込む。雄ネジ４５のそれぞれがネジ固定部４２に完全にねじ込まれていない場合、開口部５６の長穴部５７に雄ネジ４５を通過させることにより、送風装置３０及びモータ支持部５０を筐体１内において前後方向に移動させることができる。すなわち、雄ネジ４５のそれぞれが緩んでいる場合、開口部５６の長穴部５７に雄ネジ４５を通過させることにより、送風装置３０及びモータ支持部５０を筐体１内において前後方向に移動させることができる。
【００３４】
熱交換部２１が前後方向に２つ並設された熱交換器２０が筐体１に設けられる場合、送風装置３０及びモータ支持部５０を後方へ移動させる。送風装置３０及びモータ支持部５０を後方へ移動させていくと、雄ネジ４５のそれぞれが、開口部５６における前側の凹部５８の下方に位置することとなる。この状態になると、図９及び図１０に示すように、送風装置３０及びモータ支持部５０の重みによってモータ支持部５０が下方へ落下し、雄ネジ４５のそれぞれが、開口部５６における前側の凹部５８に挿入される。
【００３５】
この状態では、送風装置３０及びモータ支持部５０を側面視した場合、送風装置３０及びモータ支持部５０は、送風装置３０の重みにより、雄ネジ４５のいずれか１つの位置を回転中心として、送風装置３０が下方へ落下する方向に回転しようとする。このため、回転中心に位置していない雄ネジ４５が挿入されている開口部５６の凹部５８は、前方又は後方へ移動しようとする。しかしながら、本実施の形態では、上下方向の異なる２箇所に開口部５６が設けられている。すなわち、本実施の形態では、上下方向の異なる２箇所に凹部５８が設けられている。このため、回転中心に位置していない雄ネジ４５が挿入されている開口部５６の凹部５８は、雄ネジ４５によって移動が規制される。したがって、送風装置３０及びモータ支持部５０は、雄ネジ４５のいずれか１つの位置を回転中心として回転しない。
【００３６】
このため、雄ネジ４５のそれぞれが開口部５６における前側の凹部５８に挿入されると、熱交換部２１が前後方向に２つ並設された熱交換器２０に対して、送風装置３０が正規の位置に配置された状態が維持される。この状態において雄ネジ４５のそれぞれを基部４１のネジ固定部４２にねじ込んでいくと、基部４１と雄ネジ４５の頭部との間にモータ支持部５０の脚部５５が挟持される。これにより、モータ支持部５０は、基部４１に固定される。すなわち、モータ支持部５０に取り付けられた送風装置３０は、熱交換部２１が前後方向に２つ並設された熱交換器２０に対して正規の位置に固定される。このように、本実施の形態に係る室外機１００においては、熱交換部２１が前後方向に２つ並設された熱交換器２０に対する正規の位置に、送風装置３０を容易に固定することができる。
【００３７】
また、上述のように、雄ネジ４５のそれぞれが開口部５６における前側の凹部５８に挿入された状態では、雄ネジ４５が緩んでいても、送風装置３０の位置がずれることが抑制される。このため、本実施の形態に係る室外機１００においては、室外機１００の運転時又は輸送時等の振動によって雄ネジ４５が緩んでいても、送風装置３０の位置が維持される。すなわち、本実施の形態に係る室外機１００においては、室外機１００の運転時又は輸送時等の振動によって雄ネジ４５が緩んでいても、熱交換部２１が前後方向に２つ並設された熱交換器２０に対する正規の位置から、送風装置３０が移動することを抑制できる。また、送風装置３０が正規の位置にあるときの所望の角度からずれてしまうことも抑制できる。
【００３８】
ここで、上述のように、基部４１には凸部４３が設けられ、モータ支持部５０の脚部５５には２つの貫通孔５９が形成されている。そして、図９及び図１０に示すように、熱交換部２１が前後方向に２つ並設された熱交換器２０に対して、送風装置３０が正規の位置に配置された状態となった際、凸部４３が前側の貫通孔５９に挿入された状態となる。また、図１３に示すように、熱交換部２１が前後方向に２つ並設された熱交換器２０に対して、送風装置３０が正規の位置に配置されていない場合、凸部４３が前側の貫通孔５９に挿入されずに脚部５５と干渉する。このため、雄ネジ４５でモータ支持部５０と基部４１とを固定した際、脚部５５がひずんでしまう。したがって、本実施の形態に係る室外機１００は、熱交換部２１が前後方向に２つ並設された熱交換器２０に対して送風装置３０が正規の位置に配置されたことを容易に確認することもできる。
【００３９】
一方、熱交換部２１が前後方向に３つ並設された熱交換器２０が筐体１に設けられる場合、雄ネジ４５のそれぞれが緩んでいる状態において、送風装置３０及びモータ支持部５０を前方へ移動させる。送風装置３０及びモータ支持部５０を前方へ移動させていくと、雄ネジ４５のそれぞれが、開口部５６における後ろ側の凹部５８の下方に位置することとなる。この状態になると、図１１及び図１２に示すように、送風装置３０及びモータ支持部５０の重みによってモータ支持部５０が下方へ落下し、雄ネジ４５のそれぞれが、開口部５６における後ろ側の凹部５８に挿入される。
【００４０】
この状態では、送風装置３０及びモータ支持部５０を側面視した場合、送風装置３０及びモータ支持部５０は、送風装置３０の重みにより、雄ネジ４５のいずれか１つの位置を回転中心として、送風装置３０が下方へ落下する方向に回転しようとする。しかしながら、本実施の形態では、上下方向の異なる２箇所に開口部５６が設けられている。すなわち、本実施の形態では、上下方向の異なる２箇所に凹部５８が設けられている。このため、上述のように、送風装置３０及びモータ支持部５０は、雄ネジ４５のいずれか１つの位置を回転中心として回転しない。
【００４１】
このため、雄ネジ４５のそれぞれが開口部５６における後ろ側の凹部５８に挿入されると、熱交換部２１が前後方向に３つ並設された熱交換器２０に対して、送風装置３０が正規の位置に配置された状態が維持される。この状態において雄ネジ４５のそれぞれを基部４１のネジ固定部４２にねじ込んでいくと、基部４１と雄ネジ４５の頭部との間にモータ支持部５０の脚部５５が挟持される。これにより、モータ支持部５０は、基部４１に固定される。すなわち、モータ支持部５０に取り付けられた送風装置３０は、熱交換部２１が前後方向に３つ並設された熱交換器２０に対して正規の位置に固定される。このように、本実施の形態に係る室外機１００においては、熱交換部２１が前後方向に３つ並設された熱交換器２０に対する正規の位置に、送風装置３０を容易に固定することができる。
【００４２】
また、上述のように、雄ネジ４５のそれぞれが開口部５６における後ろ側の凹部５８に挿入された状態では、雄ネジ４５が緩んでいても、送風装置３０の位置がずれることが抑制される。このため、本実施の形態に係る室外機１００においては、室外機１００の運転時又は輸送時等の振動によって雄ネジ４５が緩んでいても、熱交換部２１が前後方向に３つ並設された熱交換器２０に対する正規の位置から、送風装置３０が移動することを抑制できる。また、送風装置３０が正規の位置にあるときの所望の角度からずれてしまうことも抑制できる。
【００４３】
また、上述のように、基部４１には凸部４３が設けられ、モータ支持部５０の脚部５５には２つの貫通孔５９が形成されている。そして、図１１及び図１２に示すように、熱交換部２１が前後方向に３つ並設された熱交換器２０に対して、送風装置３０が正規の位置に配置された状態となった際、凸部４３が後ろ側の貫通孔５９に挿入された状態となる。また、熱交換部２１が前後方向に３つ並設された熱交換器２０に対して、送風装置３０が正規の位置に配置されていない場合、凸部４３が後ろ側の貫通孔５９に挿入されずに脚部５５と干渉する。このため、雄ネジ４５でモータ支持部５０と基部４１とを固定した際、脚部５５がひずんでしまう。したがって、本実施の形態に係る室外機１００は、熱交換部２１が前後方向に３つ並設された熱交換器２０に対して送風装置３０が正規の位置に配置されたことを容易に確認することもできる。
【００４４】
ここで、同一の開口部５６に設けられた２つの凹部５８は、前後方向に規定間隔Ｌを空けて設けられている。また、図１１に示すように、熱交換部２１の前後方向の厚みは、厚みＴとなっている。そして、規定間隔Ｌは、厚みＴと同じ値となっている。このため、熱交換部２１が前後方向に３つ並設された熱交換器２０に対する送風装置３０のプロペラファン３１の正規の位置と、熱交換部２１が前後方向に２つ並設された熱交換器２０に対する送風装置３０のプロペラファン３１の正規の位置とは、熱交換器２０と送風装置３０との距離が同じになる。
【００４５】
送風装置３０による騒音の原因の一つは、プロペラファン３１の回転によって発生する気流が熱交換器２０にぶつかることにある。この際、プロペラファン３１と熱交換器２０の距離が近ければ近いほど、気流の速度が増大し、騒音も大きくなる。本実施の形態の場合、熱交換部２１が前後方向に３つ並設された熱交換器２０に対する送風装置３０のプロペラファン３１の正規の位置と、熱交換部２１が前後方向に２つ並設された熱交換器２０に対する送風装置３０のプロペラファン３１の正規の位置とは、熱交換器２０と送風装置３０との距離が同じになる。このため、異なる数の熱交換部２１を並設した熱交換器２０を用いた場合でも、送風装置３０に起因する騒音を略同等にでき、室外機１００の静音性を一定に保つことができる。
【００４６】
なお、本実施の形態で示した室外機１００は、あくまでも一例である。例えば、筐体１に、異なる数の熱交換部２１を並設した３種類以上の熱交換器２０を搭載できる構成としてもよい。この場合、開口部５６のそれぞれに、熱交換器２０の種類と同数の凹部５８を、規定間隔Ｌずつ空けて設ければよい。また例えば、筐体１に搭載できる熱交換器２０を１種類としてもよい。この場合、開口部５６のそれぞれに、１つの凹部５８を設ければよい。メンテナンス等の際、正規の位置から、送風装置３０を移動させることができる。
【００４７】
また例えば、開口部５６の数も任意である。脚部５５のそれぞれに設けられる開口部５６は、少なくとも１つあればよい。この際、２つの開口部５６が上下方向に異なる位置に配置されていれば、上述のように、雄ネジ４５の１つを回転中心として送風装置３０が回転することを抑制できる。すなわち、正規の位置から送風装置３０が移動することを抑制でき、送風装置３０が正規の位置にあるときの所望の角度からずれてしまうことも抑制できる。
【００４８】
以上、本実施の形態に係る空気調和機の室外機１００は、筐体１と、筐体１に固定された熱交換器２０と、送風装置３０と、送風装置３０を筐体１に固定する固定機構４０と、を備えている。送風装置３０は、プロペラファン３１及び該プロペラファン３１を駆動するファンモータ３２を有し、筐体１内において熱交換器２０の側方に配置されている。固定機構４０は、基部４１と、モータ支持部５０と、を備えている。基部４１は、複数のネジ固定部４２を有している。モータ支持部５０は、ファンモータ３２が取り付けられ、複数のネジ固定部４２にねじ込まれた雄ネジ４５によって基部４１に固定されている。送風装置３０が熱交換器２０から離れる方向及び送風装置３０が熱交換器２０へ近づく方向である横方向を、第１方向とした場合、モータ支持部５０は、第１方向に延び、基部４１と対向する一対の脚部５５を有している。脚部５５のそれぞれは、雄ネジ４５が挿入された少なくとも１つの開口部５６を有している。開口部５６のそれぞれは、第１方向に延びる長穴部５７と、長穴部５７から上方に切り欠かれた凹部５８と、を備えている。モータ支持部５０が基部４１に固定された状態においては、雄ネジ４５のそれぞれは、開口部５６の凹部５８に挿入された状態となっている。複数の開口部５６のうちの少なくとも２つは、上下方向で異なる位置に配置されている。
【００４９】
このため、上述のように、本実施の形態に係る空気調和機の室外機１００は、正規の位置に送風装置３０を容易に固定することができる。また、上述のように、本実施の形態に係る空気調和機の室外機１００は、雄ネジ４５が緩んでも、熱交換器２０に対する正規の位置から送風装置３０が移動することを抑制できる。また、送風装置３０が正規の位置にあるときの所望の角度からずれてしまうことも抑制できる。
【符号の説明】
【００５０】
１  筐体、２  前面部、３  背面部、４  上面部、５  底面部、６  隔壁、７  風路室、８  機械室、９  固定板、１１  吹出口、１２  吸込口、１３  ベルマウス、２０  熱交換器、２１  熱交換部、３０  送風装置、３１  プロペラファン、３２  ファンモータ、４０  固定機構、４１  基部、４１ａ  支柱、４１ｂ  台板、４２  ネジ固定部、４３  凸部、４５  雄ネジ、５０  モータ支持部、５１  モータ取付部、５２  挿入部、５３  雌ネジ、５５  脚部、５６  開口部、５７  長穴部、５８  凹部、５９  貫通孔、１００  室外機、Ｌ  規定間隔、Ｔ  厚み。
【図１】
0006952881.tif 000002
【図２】
0006952881.tif 000003
【図３】
0006952881.tif 000004
【図４】
0006952881.tif 000005
【図５】
0006952881.tif 000006
【図６】
0006952881.tif 000007
【図７】
0006952881.tif 000008
【図８】
0006952881.tif 000009
【図９】
0006952881.tif 000010
【図１０】
0006952881.tif 000011
【図１１】
0006952881.tif 000012
【図１２】
0006952881.tif 000013
【図１３】
0006952881.tif 000014